(57)【要約】【課題】  空気給排装置によりエアホースを介して膨縮する膨縮袋を施療部に設けた空圧式施療機において、可動する施療部のためにエアホースに弛み部を設けても、該施療部の可動の際に生じるエアホース内部の閉塞を可及的に防止する事が可能な空圧式施療機を提供する。【解決手段】  座部１１ａと足載せ部１３ａとからなる施療機１ａであって、足載せ部１３ａは施療部の足載せ後部フレーム５１ａと、該足載せ後部フレーム５１ａ上を移動可能に設けた施療部の足載せ前部フレーム５２ａとから可動する施療部を構成し、足載せ後部フレーム５１ａと足載せ前部フレーム５２ａとの間に中継エアホース部４２ａを弛み部４２２ａを有して設け、該弛み部４２２ａに閉塞防止のための可撓性を有する保護部材６ａを設けた。【選択図】 図４
2011139947.tif 000002
【特許請求の範囲】
【請求項１】
座部と足載せ部とを有し、該足載せ部に、空気給排装置による空気の給排気によりエアホースを介して膨縮する膨縮袋を設けて人体脚部を施療する事ができるようにした空圧式施療機であって、
前記足載せ部は、前記座部の前端において前後へ出没可能に連結した足載せ後部フレームと、該足載せ後部フレーム上を移動可能に設けた足載せ前部フレームとから構成し、
前記足載せ後部フレームと前記足載せ前部フレームとの間に、前記エアホースの中継部となる中継エアホース部が弛み部を有して設けられており、
前記中継エアホース部の一方側は、前記足載せ前部フレームの上下方向の上側部分近傍に配置され、
前記中継エアホース部の他方側は、前記足載せ後部フレームの上下方向の中央部分近傍に配置された事を特徴とする空圧式施療機。
【請求項２】
前記足載せ前部フレームを前記足載せ後部フレームに対して移動させるための駆動源と、
前記駆動源と接続する前記中継エアホース部と併設する配線コードとをさらに備える、請求項１記載の空圧式施療機。
【発明の詳細な説明】
【技術分野】
【０００１】
本発明は、空気給排装置による空気の給排気によりエアホースを介して膨縮する膨縮袋を使用して、空圧施療を実施する事が可能な空圧式施療機に関するものである。
【背景技術】
【０００２】
従来より、空気給排装置による空気の給排気により膨縮する袋状の膨縮袋を、平坦または凹状の施療部に設けて施療者に対して空圧施療を行うように構成した空圧式施療機は良く知られており、身体の全域を施療する椅子型やベッド型、それに小さくて持ち運びし易い携帯型など、多様な形態のものが存在している。
【０００３】
最近では、施療者の体形の違いや所望する施療部位に応じて、施療機における施療部が可動する構成のものも開示されている。
【０００４】
例えば図８に示すように、足用マッサージユニット（空圧式施療機）１００は、被施療者の足先、具体的には、くるぶしよりも下の部分をマッサージする足先用マッサージユニット（足先施療部）１０と、足先用マッサージユニット１０の基端に連結機構９０を介して傾動可能且つスライド可能に連繋され、被施療者のふくらはぎをマッサージするふくらはぎ用マッサージユニット（脛施療部）８０とを具えている。
【０００５】
前記足先用マッサージユニット１０は、樹脂製カバー１２に、被施療者の足先を挿入する断面コ字状の左右一対の凹状受部が形成されている。該凹状受部の両側面には側面エアバックが取り付けられており、側面エアバックは、連結ホースによって連通しており、連結ホースは、エア供給ホース（エアホース）によって、電磁弁及びポンプに接続されている。
【０００６】
前記ふくらはぎ用マッサージユニット８０は、樹脂製カバー８２に、被施療者のふくらはぎを挿入する断面コ字状の左右一対の脚受部が形成され、脚受部の両側面には側面エアバックが取り付けられており、側面エアバックは、蛇腹状連結ホースによって連結されて、共通のエア供給ホース８５ａに接続されている。エア供給ホース８５ａは、樹脂製カバー８２の下端を貫通するホース連結具８５ｂ、足先用マッサージユニット１０の後面に設けられたホース連結具８５ｃ及び電磁弁を介して、側面エアバックを足先用マッサージユニット１０に配備されたポンプに接続している。
【０００７】
また、樹脂製カバー１２の後端面には、ふくらはぎ用マッサージユニット８０のエアバックに圧縮空気を供給するエア供給ホース８５ａのホース連結具８５ｃが設けられている。ホース連結具８５ｃは、接続口が樹脂製カバー１２から後ろ向きに突出して、下向きに屈曲している。このような形状とすることにより、エア供給ホース８５ａを大きい円弧を描いた状態で接続でき、ふくらはぎ用マッサージユニット８０が傾動したりスライド（移動）しても、エア供給ホース８５ａは折れ曲がりや伸び縮みすることがないよう構成する事ができる。
【先行技術文献】
【特許文献】
【０００８】
【特許文献１】特開２００５−２４５８０３号公報（第１１頁、図３）
【発明の概要】
【発明が解決しようとする課題】
【０００９】
ところで、前記のような施療部であるマッサージユニットなどを可動構成する空圧式施療機において設けられるエアホースは、該可動のために大きい円弧を描いた状態（弛ませた状態）で設けられているのだが、例えば施療部の前記足先用マッサージユニットに対し施療部の前記ふくらはぎ用マッサージユニットが移動すると、エアホースは常時同じ形状を保つのではなく、エアホースの弛ませた部分である弛み部が該エアホース上に沿って変位しながら、形状を変化させる事になる。
【００１０】
エアホースの前記弛み部は、その内部において常に応力がかかっているため、前述のように該弛み部がエアホース上を変位する時、エアホース内部が閉塞し易い状態となり、それによって故障が生じたり、また膨縮袋の内圧が不安定となって、常時安定した施療を実施する点で課題となっていた。
【００１１】
また、施療部の可動のために生じるエアホースの変形により、該エアホースが外部に擦れたり引っ掛かったりするなどによる故障や障害も懸念されていた。
【００１２】
そこで、本発明は、上記問題点を解消する為に成されたものであり、可動する施療部のためにエアホースに弛み部を設けても、該施療部の可動の際に生じるエアホース内部の閉塞や、またエアホースの変形によって生じる故障や障害などを可及的に防止する事ができ、常時安定した空圧施療を実施する事が可能な空圧式施療機を提供する事を目的とするものである。
【課題を解決するための手段】
【００１３】
すなわち、本発明の空圧式施療機は、座部と足載せ部とを有し、該足載せ部に、空気給排装置による空気の給排気によりエアホースを介して膨縮する膨縮袋を設けて人体脚部を施療する事ができるようにした空圧式施療機であって、前記足載せ部は該座部の前端において前後へ出没可能に連結した足載せ後部フレームと、該足載せ後部フレーム上を移動可能に設けた足載せ前部フレームとから構成し、前記足載せ後部フレームと前記足載せ前部フレームとの間に、前記エアホースの中継部となる中継エアホース部が弛み部を有して設けており、該弛み部にホース内部における閉塞防止のための可撓性を有する線状またはコイル状、或いは管状の保護部材を設けた事を特徴とするものである。
【００１４】
また、本発明の空圧式施療機は、前記保護部材が、前記中継エアホース部に内嵌または外嵌されているものである事を特徴とするものである。
【００１５】
更に、本発明の空圧式施療機は、前記保護部材が、前記中継エアホース部の両端付近が前記弛み部よりも可撓性が低くなるよう形成されているものである事を特徴とするものである。
【発明の効果】
【００１６】
よって、本発明の空圧式施療機は、座部と足載せ部とを有し、該足載せ部に、空気給排装置による空気の給排気によりエアホースを介して膨縮する膨縮袋を設けて人体脚部を施療する事ができるようにした空圧式施療機であって、前記足載せ部は該座部の前端において前後へ出没可能に連結した足載せ後部フレームと、該足載せ後部フレーム上を移動可能に設けた足載せ前部フレームとから構成し、前記足載せ後部フレームと前記足載せ前部フレームとの間に、前記エアホースの中継部となる中継エアホース部が弛み部を有して設けており、該弛み部にホース内部における閉塞防止のための可撓性を有する線状またはコイル状、或いは管状の保護部材を設けた構成であるため、施療者は任意に前記座部に対する前記足載せ部の位置を調節する際の、前記足載せ後部フレームに対する前記足載せ前部フレームの移動に伴って、前記中継エアホース部上の位置を前記弛み部が変位する事によって生じるホース内部における閉塞を前記保護部材により効果的に防止する事ができる。すなわち、ホース内部を閉塞する外力が加わらないように、保護部材は中継エアホース部を保護する事ができる。
【００１７】
また、本発明の空圧式施療機は、前記保護部材が、中継エアホース部に内嵌または外嵌する構成にしているため、保護部材を中継エアホース部に内嵌する場合、ホース内部が閉塞しないよう、確実に該ホース内部空間を保護する事ができ、外嵌する場合は、中継エアホース部に対して保護部材を取り付け易くなる。
【００１８】
更に、本発明の空圧式施療機は、前記保護部材が、前記中継エアホース部の両端付近が前記弛み部よりも可撓性が低くなるよう形成された構成にしているため、中継エアホース部の両端付近の変形を弛み部よりも少なくする事ができるので、中継エアホース部上を弛み部が柔軟に変位すると共に、全体的な型崩れを最小限に抑制する事ができるので、中継エアホース部が外部に擦れたり引っ掛かったりするなどによる不具合を可及的に解消する事ができる。
【図面の簡単な説明】
【００１９】
【図１】本発明の空圧式施療機における椅子型の一実施形態を示す斜視図である。
【図２】本発明の空圧式施療機における椅子型の一実施形態を示す使用状態図である。
【図３】本発明の空圧式施療機における足載せ部の一実施形態を示す右側面構成説明図である。
【図４】本発明の空圧式施療機における足載せ部の一実施形態を示す右側面構成説明図である。
【図５】本発明の空圧式施療機における足載せ部の一実施形態を示す右側面構成説明図である。
【図６】本発明の空圧式施療機におけるエアホースに保護部材を内嵌した一実施形態を示す構成説明図である。
【図７】本発明の空圧式施療機におけるエアホースに保護部材を外嵌した一実施形態を示す構成説明図である。
【図８】従来技術を示す参考図である。
【発明を実施するための形態】
【００２０】
以下に、本発明の空圧式施療機を、図面に示す一実施形態に基づきこれを詳細に説明する。図１は本発明の空圧式施療機における椅子型の一実施形態を示す斜視図であり、図２は本発明の空圧式施療機における椅子型の一実施形態を示す使用状態図であり、図３は本発明の空圧式施療機における足載せ部の一実施形態を示す右側面構成説明図であり、図４及び図５は本発明の空圧式施療機における足載せ部の一実施形態を示す構造説明図であり、図６は本発明の空圧式施療機におけるエアホースに保護部材を内嵌した一実施形態を示す構成説明図であり、図７は本発明の空圧式施療機におけるエアホースに保護部材を外嵌した一実施形態を示す構成説明図であり、図８は従来技術を示す参考図である。
【００２１】
すなわち、本発明の空圧式施療機は図１及び図２の実施例で示したように、座部１１ａと共に、該座部１１ａの後側にリクライニング可能に連結する背凭れ部１２ａと、座部１１ａの前端において前後へ出没可能に連結した足載せ部１３ａとから構成した空圧式施療機１ａである。
【００２２】
更に、前記座部１１ａの両側に肘掛け部１４ａを立設すると共に、前記背凭れ部１２ａの左右両側に前方に向かって突出した側壁部２ａを夫々配設している。
【００２３】
図１に示すように、前記背凭れ部１２ａには、その中央部に左右一対の施療子３１ａを備えた昇降自在の施療子空圧式施療機構３ａを設けている。該施療子空圧式施療機構３ａは、背凭れ部１２ａの内部左右に設けた左右一対のガイドレール３２ａに沿って背凭れ部１２ａの上端から下端にかけて昇降するようにしている。
【００２４】
前記左右一対の施療子３１ａは、モータ等を駆動源とした機械式の空圧式施療機構であり、前記背凭れ部１２ａに凭れた施療者の首部、背部、腰部、臀部等の背面全域を、たたき、揉み、ローリング、振動、指圧などの多様な形態で施療するようにしたものである。
【００２５】
また、前記空圧式施療機１ａの各所定の位置には、空気の給排気により膨縮を繰り返す事が可能な膨縮袋４ａを夫々埋設している。該膨縮袋４ａは、エアーコンプレッサー及び各膨縮袋４ａに空気を分配するための分配器等からなる空気給排装置４１ａによる給排気により膨縮動作を行うようにしており、該空気給排装置４１ａは前記座部１１ａの下部空間に配備している。
【００２６】
前記空気給排装置４１ａによる各前記膨縮袋４ａの膨縮動作によって、施療者の所定の施療部位を押圧、指圧等を実施する事ができ、一定間隔を存して対向するよう複数の膨縮袋４ａを対設させるならば、挟圧等の施療も行う事ができる。また膨縮袋４ａを膨張状態に保つ場合は、施療者の所定の部位を一定の時間保持する事も可能としている。
【００２７】
また、前記空圧式施療機１ａは、前記背凭れ部１２ａの左右側において、上部及び下部に夫々膨縮袋４ａを設けており、施療者の背中及び腰部を押圧、または左右両側から挟圧するような施療を行うよう構成している。
【００２８】
また、前記座部１１ａには、後部側に臀下部用、また腿部用の膨縮袋４ａを夫々埋設して、主に下方から上方に押圧する施療を行うようにしている。
【００２９】
前記足載せ部１３ａは、人体の脚部である脛部または足先部を夫々嵌入させる左右一対の凹部を夫々形成したものであり、各凹部に膨縮袋４ａを左右一対として対設するよう設けて、凹部内部で人体の脛部及び足先部に対する挟圧施療を実施するようにしている。該足載せ部１３ａの構成については後に詳しく説明する。
【００３０】
前記左右の肘掛け部１４ａの上部には、必要に応じて人体の手や前腕を嵌入保持して施療するための凹部を形成する腕保持部１５ａを設ける事ができる。図１の場合、該腕保持部１５ａの内部において、上下に各膨縮袋４ａを夫々対設するよう設けて、凹部内部で人体の手や前腕に対する挟圧施療を実施するようにしている。
【００３１】
前記左右の側壁部２ａは、座部１１ａに着座した施療者の肩または上腕側方となる位置に配設しており、該左右の側壁部２ａの内側面には夫々左右方向に重合した膨縮袋４ａを並列状態に埋設している。これら重合した膨縮袋４ａ・４ａはその基端部のみを側壁部２ａの基端部に取り付けているため、膨張時には重合した膨縮袋４ａ・４ａが扇状に広がって施療者の身体側部を挟圧しつつ、身体前方まで覆うようになる。
【００３２】
よって、前記左右側壁部２ａの前記膨縮袋４ａは、膨縮動作により身体側部を施療する事ができるだけでなく、一定の時間において膨張状態を保つならば、施療者の身体が前記背凭れ部１２ａから離れないようにしっかりと保持する事ができ、施療者の身体を固定したままの状態で前記施療子空圧式施療機構３ａの前記施療子３１ａによる背部からの施療を効果的に受ける事が可能となるのである。
【００３３】
本発明である前記空圧式施療機１ａの前記足載せ部１３ａは、図１の実施形態で示したように、上部に人体脛部を施療するための凹部を幅方向左右に夫々設けた脛施療部１３１ａと、該脛施療部１３１ａの下部に位置する人体足先を施療するための凹部を幅方向左右に夫々設けた足先施療部１３２ａとから構成しており、脛施療部１３１ａと足先施療部１３２ａの各凹部内部に、前述のような膨縮袋４ａを左右に対設させている。尚、適宜各凹部底部にも膨縮袋４ａを設ける事ができる。
【００３４】
また、図３及び図５に示す支持部材５ａは、前記足載せ部１３ａを支持するためのものであり、図面の形態は、該支持部材５ａと前記座部１１ａの下部にある座部下フレーム１１１ａの前端とが、足載せ回動部１３３ａによって回動可能に連結している。これにより、前述したように前記足載せ部１３ａが座部１１ａに対して上下回動可能となる。その上下回動は手動及び自動を問わないが、自動とするならば電動モータを動力源とするアクチュエータ（図示せず）を適用する事ができる。
【００３５】
前記支持部材５ａは、前記左右の足載せ回動部１３３ａから垂下したフレーム部材からなる足載せ後部フレーム５１ａと、該足載せ後部フレーム５１ａ上を上下に移動可能に設けたフレーム部材からなる足載せ前部フレーム５２ａとから前記足載せ部１３ａにおける可動する施療部を構成している。
【００３６】
すなわち、前記足載せ前部フレーム５２ａに対する前記足載せ後部フレーム５１ａの上下移動になるよう、足載せ後部フレーム５１ａの下部左右に滑動筒部５１１ａを夫々設けており、該滑動筒部５１１ａ内部を前記足載せ前部フレーム５２ａの左右両側のフレーム部材が貫通滑動するようにしている。
【００３７】
また、前記足載せ後部フレーム５１ａの左右上端は、前記座部下フレーム１１１ａの前端に設けた前記足載せ回動部１３３ａに回動可能に連結している。
【００３８】
更に、前記足載せ前部フレーム５２ａに、前記脛施療部１３１ａ及び前記足先施療部１３２ａが固設されている。
【００３９】
前記足載せ後部フレーム５１ａと前記足載せ前部フレーム５２ａとの間には、駆動源のモータ５３１ａを備えた進退機構５３ａを設けており、該モータ５３１ａの回転により、足載せ後部フレーム５１ａに対して足載せ前部フレーム５２ａは上下に移動する事ができる。尚、進退機構５３ａの形式として、例えばモータ５３１ａにより回転する螺軸と、該螺軸に外嵌して螺軸の回転により移動するナットの組み合わせによるものであってもよい。
【００４０】
前記進退機構５３ａの作動により、施療者は任意に前記座部１１ａに対する前記足載せ部１３ａの上下または前後位置を調節する事ができ、施療者の身長差に対応するよう構成している。
【００４１】
前述したように、前記足載せ部１３ａの前記脛施療部１３１ａ及び前記足先施療部１３２ａに夫々形成した前記凹部内に、前記各膨縮袋４ａを設けているが、前記空気給排装置４１ａから離れた各膨縮袋４ａに空気を給排気するための流路としてエアホースを適用している。
【００４２】
図４に示すように、前記足載せ後部フレーム５１ａと前記足載せ前部フレーム５２ａとの間に、前記エアホースの中継部となる中継エアホース部４２ａを設けている。尚、該中継エアホース部４２ａと共に、前記進退機構５３ａと接続する配線コード５３２ａも併設している。
【００４３】
前記中継エアホース部４２ａは、その基端を前記足載せ後部フレーム５１ａの前記接続部４２１ａに、至端を足載せ前部フレーム５２ａの前記接続部４２１ａに夫々接続して前記エアホースの中継部をなすが、足載せ後部フレーム５１ａに対して足載せ前部フレーム５２ａが移動すると、中継エアホース部４２ａの基端及び至端の各接続部４２１ａの間隔は変化する。
【００４４】
よって、前記中継エアホース部４２ａは、両端の前記各接続部４２１ａの最大間隔に対応する適した長さとなるようにすると共に、中継エアホース部４２ａの長さ方向に張力が極力かからないようにするため、中間を弛ませて垂下させた弛み部４２２ａを有するようにして設けている。
【００４５】
図４の前記足載せ後部フレーム５１ａの上方に前記足載せ前部フレーム５２ａが位置する状態から、図５の足載せ後部フレーム５１ａの下方に足載せ前部フレーム５２ａが位置する状態になるまでの変化に伴って、前記中継エアホース部４２ａの前記弛み部４２２ａも、中継エアホース部４２ａ上の位置を変位する事になる。
【００４６】
前記弛み部４２２ａには常に応力が生じるため、前記中継エアホース部４２ａ上の該弛み部４２２ａの変位に伴って、該中継エアホース部４２ａ内部を閉塞する恐れがあるが、本発明の前記空圧式施療機１ａは、中継エアホース部４２ａに可撓性を有する保護部材６ａを設ける事により、そのような中継エアホース部４２ａのホース内部における閉塞を防止している。
【００４７】
前記保護部材６ａとして、例えば可撓性を有する線状の線材を使用する事ができ、または該線材をコイル状に形成したものであってもよく、或いは管状のものであってもよい。尚、前記保護部材６ａの材質は、耐久性のある軟質樹脂や金属類などが適当と考えられる。
【００４８】
図６に示すように前記保護部材６ａとして、前記中継エアホース部４２ａの内部に可撓性のあるコイル状の線材を内嵌する事ができる。
【００４９】
または、図７に示すように前記中継エアホース部４２ａの外部に外嵌するコイル状の線材を前記保護部材６ａとして適用する事も可能である。
【００５０】
或いは図示しないが、前記保護部材６ａを前記中継エアホース部４２ａに沿って同じように弛む形状をした線材であってもよく、該線材に中継エアホース部４２ａが常時沿設するよう構成できる。
【００５１】
更に、図４に示すように複数本の前記中継エアホース部４２ａが設けられている場合は、図示しないがそれら複数の中継エアホース部４２ａを束ねた状態に、前記保護部材６ａをコイル状または管状として外嵌するようにしてもよい。
【００５２】
前記中継エアホース部４２ａの両端である前記至端及び前記基端付近を、前記弛み部４２２ａよりも、可撓性が低くなるよう前記保護部材６ａを形成する事も可能である。例えば、保護部材６ａの線材の太さや強度、または材質などの違いによって、可撓性を高めたりまたは低めたりする事ができる。更に保護部材６ａがコイル状の場合、コイルの巻き数または巻き幅の違いによるものとする事も可能である。
【００５３】
この場合、中継エアホース部４２ａの至端及び基端付近の変形を弛み部４２２ａよりも少なくする事ができるので、中継エアホース部４２ａ上を弛み部４２２ａが柔軟に変位すると共に、全体的な型崩れを最小限に抑制する事ができる。
【００５４】
尚、前記保護部材６ａは中継エアホース部４２ａにおいて全体的に設けてもよく、または部分的になるようにしてもよい。例えば前記弛み部４２２ａ付近にのみ設けてもよい。
【符号の説明】
【００５５】
１ａ 空圧式施療機
１１ａ 座部
１１１ａ 座部下フレーム
１２ａ 背凭れ部
１３ａ 足載せ部
１３１ａ 脛施療部
１３２ａ 足先施療部
１３３ａ 足載せ回動部
１４ａ 肘掛け部
１５ａ 腕保持部
２ａ 側壁部
３ａ 施療子空圧式施療機構
３１ａ 施療子
３２ａ ガイドレール
４ａ 膨縮袋
４１ａ 空気給排装置
４２ａ 中継エアホース部
４２１ａ 接続部
４２２ａ 弛み部
５ａ 支持部材
５１ａ 足載せ後部フレーム
５１１ａ 滑動筒部
５２ａ 足載せ前部フレーム
５３ａ 進退機構
５３１ａ モータ
５３２ａ 配線コード
６ａ 保護部材
【図１】
2011139947.tif 000003
【図２】
2011139947.tif 000004
【図３】
2011139947.tif 000005
【図４】
2011139947.tif 000006
【図５】
2011139947.tif 000007
【図６】
2011139947.tif 000008
【図７】
2011139947.tif 000009
【図８】
2011139947.tif 000010